(57)【要約】【課題】携帯用糞処理容器とともに掻き寄せ具の携帯性を損ねることなく、汚物の処理をきわめて簡易に行う。【解決手段】有底箱状の携帯用糞処理容器１の本体に沿って取出し可能に収納される糞掻き寄せ具５であって、ほぼ偏平板状の掻き寄せ部６を主体として構成され、この掻き寄せ部６に把持部７を形成してなる。【選択図】  図１
2005046020.tif 000002
【特許請求の範囲】
【請求項１】
有底箱状の携帯用糞処理容器の本体に沿って取出し可能に収納される糞掻き寄せ具であって、ほぼ偏平板状の掻き寄せ部を主体として構成され、この掻き寄せ部に把持部を形成してなるを特徴とする携帯用糞処理容器用の糞掻き寄せ具。
【請求項２】
請求項１記載の携帯用糞処理容器用の糞掻き寄せ具であって、前記掻き寄せ部または把持部の一部と前記携帯用糞処理容器の本体とを所定の長さの連結部材により結合されていることを特徴とする携帯用糞処理容器用の糞掻き寄せ具。
【請求項３】
有底箱状の携帯用糞処理容器の本体に対し、その収納内面または外面に沿って糞掻き寄せ具を取出し可能に収納する収納部を一体的に形成したことを特徴とする携帯用糞処理容器。
【発明の詳細な説明】
【０００１】
【発明の属する技術分野】
本発明は、犬を散歩時において、犬の用便に伴う汚物を処理収納するに際し、当該汚物を携帯用糞処理容器内に収納するための掻き寄せ具及びその携帯用糞処理容器に関する。
【０００２】
【従来の技術】
従来、この種の携帯用糞処理容器においては、容器本体を有底状の筒体から形成され、この容器本体の開口端部位に該開口部を覆蓋する開閉蓋が装着されていて、汚物の処理にあって、開閉蓋を開状態としてその容器本体で汚物を掬い取って該容器本体内に取入れるように構成されたものが案出されている（例えば、特許文献１参照。）。
また、容器本体の開口部に装着した開閉蓋を汚物の寄せ蓋として利用し、汚物の処理にあって、開閉蓋により汚物を容器本体内に寄せながら取入れるように構成されたものも案出されている（例えば、特許文献２参照。）。
【０００３】
【特許文献１】
特許第３４１６６４１号明細書（［００１８］、図２）
【特許文献２】
特許第８−１１６８１７号公報（［００３１］、図１）
【０００４】
【発明が解決しようとする課題】
しかしながら、前者の携帯用糞処理容器にあっては、容器本体で汚物を掬い取って該容器本体内に取入れることができるものの、該汚物の状態によっては、何回も掬いとる作業をしなければならないという問題点を新たに生起するものであり、後者の携帯用糞処理容器にあっては、開閉蓋の開閉動作により汚物を容器本体内に寄せながら取入れることができるものの、依然として該汚物の状態によっては、何回も開閉蓋を開閉動作を繰り返さしなければならないという問題点を生起するものであった。
そして、携帯用糞処理容器とともに、簡易ショベル等を携行する場合も提案されるが、携帯用糞処理容器と簡易ショベル等とを別々に携行しなくてはならず、携帯性を損ねる等の問題点があった。
そこで、本発明は、携帯用糞処理容器とともに掻き寄せ具の携帯性を損ねることなく、汚物の処理をきわめて簡易に行うことができる携帯用糞処理容器用の掻き寄せ具及びその携帯用糞処理容器を提供することにある。
【０００５】
【課題を解決するための手段】
上記した課題を解決するために、請求項１の発明に係る携帯用糞処理容器用の掻き寄せ具は、有底筒状の携帯用糞処理容器の本体に沿って取出し可能に収納される糞掻き寄せ具であって、ほぼ偏平板状の掻き寄せ部を主体として構成され、この掻き寄せ部に把持部を形成してなるを要旨とするものである。
【０００６】
上記した構成によれば、糞掻き寄せ具における把持部を把持してその偏平板状の掻き寄せ部によって汚物を任意の状態に掻き集めて携帯用糞処理容器内に取入れ処理することができるとともに、糞掻き寄せ具全体は携帯用糞処理容器の本体に収納されるので、糞掻き寄せ具の携行を容易にすることができる。
したがって、携帯用糞処理容器とともに掻き寄せ具の携帯性を損ねることなく、汚物の処理をきわめて簡易に行うことができる。
【０００７】
また、請求項２の発明は、請求項１記載の携帯用糞処理容器の掻き寄せ具であって、前記掻き寄せ部または把持部の一部と前記携帯用糞処理容器の本体とを所定の長さの連結部材により結合されていることを要旨とするものである。
【０００８】
この構成によれば、携帯用糞処理容器とともに掻き寄せ具の携帯性を一層良化することができる。
【０００９】
また、請求項３の発明は、携帯用糞処理容器であって、有底筒状の携帯用糞処理容器の本体に対し、その収納内面または外面に沿って糞掻き寄せ具を取出し可能に収納する収納部を一体的に形成したことを要旨とするものである。
【００１０】
この構成によれば、携帯用糞処理容器の本体に収納される糞掻き寄せ具によって汚物を任意の状態に掻き集めて携帯用糞処理容器内に取入れ処理することができるとともに、糞掻き寄せ具全体は携帯用糞処理容器の本体に収納されるので、糞掻き寄せ具の携行を容易にすることができる。
したがって、掻き寄せ具とともに携帯用糞処理容器の携帯性を損ねることなく、汚物の処理をきわめて簡易に行うことができる。
【００１１】
【発明の実施の形態】
以下、本発明の実施の形態を図にしたがって説明する。
図１に示すように、本実施の形態における携帯用糞処理容器１の主体部を構成する容器本体２は、例えば、耐腐食性を有するステンレス製又は合成樹脂製から所定の大きさの箱形状（図ではほぼ三角柱形の場合を示す。）に形成されていて、その上方側端面が開放（開口）されかつ下方側端面が閉塞され、前記容器本体２の開口された上方側端面側には該開口部位２ａを開閉口する開閉蓋３が装設されている。なお、容器本体２と開閉蓋３とは所定の長さの連結索等からなる連結部材４により連結されている。
【００１２】
前記携帯用糞処理容器１の容器本体２に収納される本実施の形態における糞掻き寄せ具５は、図１に示すように、所定の厚さのほぼ偏平矩形板状に形成された掻き寄せ部６とこの掻き寄せ部６の一方側端部に形成された把持部７とから構成され、この掻き寄せ部６の長手方向の一方端縁（下端縁）は比較的鋭角状の先端縁となし、把持部７は、その複数の把持片７ａ、７ｂが該掻き寄せ部６の長手方向に沿って段階的に伸縮可能に構成されている。なお、糞掻き寄せ具５は携帯用糞処理容器１と同様に耐腐食性を有するステンレス製又は合成樹脂製から形成することが望ましい。
【００１３】
そして、前記糞掻き寄せ具５における掻き寄せ部６と把持部７との付け根部には所定の長さの紐、鎖等からなる連結部材８が取付けられ、この連結部材８の端部は前記携帯用糞処理容器１の容器本体２の開口部位側に結着されて、該容器本体２と一体化されている。
【００１４】
一方、前記携帯用糞処理容器１において、その容器本体２の内面には、その開口部位２ａ側から底部方向に向かって、収納部９が形成されており、この収納部９は、容器本体２の内面２ｂと該内面２ｂに一体的に形成された断面コ字状の側板１０とにより鞘状の収納空間９ａが形成され、前記糞掻き寄せ具５における掻き寄せ部６を容器本体２の開口部位２ａ側から取出し可能に収納するように構成されている。なお、収納部９を形成する側板１０は、携帯用糞処理容器１と同様の材質から形成することが望ましい。
【００１５】
そして、前記容器本体２の両側面の上部側には肩掛け用のベルトや鎖等からなる吊下げ部材１１が取付けられている。なお、吊下げ部材１０は手提げ用として、開閉蓋５に対して取付けることもでき、いずれにしても吊下げ部材１１により該容器本体２全体を吊下げ状態で携帯することができるものである。
【００１６】
上述のように構成された携帯用糞処理容器１及び糞掻き寄せ具５にあっては、容器本体２の収納部９における収納空間９ａ内に糞掻き寄せ具５全体を収納した状態において、該携帯用糞処理容器１を吊下げ部材１１によって吊下げ、犬の散歩等に携行（携帯）するものであり、その使用時にあっては、携帯用糞処理容器１の容器本体２から糞掻き寄せ具５を取出し、その糞掻き寄せ具５における把持部７を把持してその偏平矩形板状の掻き寄せ部６によって汚物を任意の状態に掻き集めて携帯用糞処理容器１（容器本体２）内に簡易に取入れ処理するものである。
【００１７】
この場合、糞掻き寄せ具５にあっては、前述したように、携帯用糞処理容器１の容器本体２に収納されるので、糞掻き寄せ具５の携行を容易にすることができる。
【００１８】
そして、糞掻き寄せ具５を、再び容器本体２の収納部９における収納空間９ａ内に収納した状態で、容器本体２全体を縦向きにして吊下げ部材１１により携帯し、犬の散歩等を続行することができ、容器本体２から収納した汚物を排出する場合には、開閉蓋３により容器本体２の開放部位２ａ側を開放し、汚物をそのまま容器本体２から排出するものである。
この場合、汚物により汚れた容器本体２及び開閉蓋３、糞掻き寄せ具５は水洗い等により洗浄することができるものである。
【００１９】
本実施の形態においては、糞掻き寄せ具５と容器本体２とが紐、鎖等からなる連結部材８により一体化されているので、該糞掻き寄せ具５が容器本体２と分離されることを未然に防止することができ、携帯用糞処理容器１とともに掻き寄せ具５の携帯性を一層良化するものである。
【００２０】
本実施の形態にあっては、容器本体２をほぼ三角柱形の箱状としたが、これに限定するものではなく、例えば、方形の箱状、円筒形であってもよく、容器本体２が円筒形の場合は、該容器本体２に収納される掻き寄せ具５はその円筒形の湾曲状態に沿うようにその掻き寄せ部６及び把持部７がそれぞれ湾曲状に形成されるものである。
【００２１】
さらに、本実施の形態にあっては、携帯用糞処理容器１における収納部９を容器本体２の内面２ｂ側に形成したが、容器本体２の外面（外側）に形成してもよく、また、収納部９にあっても、容器本体２の内面２ｂに一体的に形成された断面コ字状の側板１０とにより鞘状の収納空間９ａを形成したが、該断面コ字状の側板１０に代えて、図３に示すように、糞掻き寄せ具６における掻き寄せ部６の長手方向に両端縁（上下縁）を挿通化のに案内するＬ字状の側板１０Ａにより収納部９を形成してもよい。
【００２２】
また、糞掻き寄せ具６においても、把持部７を複数の把持片７ａ、７ｂにより掻き寄せ部６の長手方向に沿って段階的に伸縮可能に構成したが、これに代えて、掻き寄せ部６の長手方向に沿って一体的に形成してもよく、図４に示すように、掻き寄せ部６の長手方向の他方端縁（上端縁）に沿って一体的に形成してもよい。なお、把持部７を掻き寄せ部６の長手方向の他方端縁（上端縁）に沿って形成した場合は、収納部９を形成する側板１０、１０Ａには該把持部７の挿通を可能にする逃がし溝を形成して収納部９内への糞掻き寄せ具６全体の収納を可能にするものである。
【００２３】
さらに、携帯用糞処理容器１の容器本体２内に汚物を収納する紙製等の処理用袋を広げた状態で設けておき、汚物をこの処理用袋とともに処理するようにし、この処理用袋を容器本体２或いは開閉蓋３に収納できるようにしてもよい。
【００２４】
【発明の効果】
請求項１に記載の発明によれば、携帯用糞処理容器とともに掻き寄せ具の携帯性を損ねることなく、汚物の処理をきわめて簡易に行うことができる。
【００２５】
請求項２に記載の発明によれば、携帯用糞処理容器とともに掻き寄せ具の携帯性を一層良化することができる。
【００２６】
また、請求項３に記載の発明によれば、掻き寄せ具とともに携帯用糞処理容器の携帯性を損ねることなく、汚物の処理をきわめて簡易に行うことができる。
【図面の簡単な説明】
【図１】本発明の実施の形態を示す掻き寄せ具と携帯用糞処理容器の斜視図である。
【図２】図１のＡ−Ａ線断面図である。
【図３】収納部の別例を示す断面図である。
【図４】掻き寄せ具の別例を示す斜視図である。
【符号の説明】
１  携帯用糞処理容器
２  容器本体
２ａ  開口部位
３  開閉蓋
５  糞掻き寄せ具
６  掻き寄せ部
７  把持部
９  収納部
【図１】
2005046020.tif 000003
【図２】
2005046020.tif 000004
【図３】
2005046020.tif 000005
【図４】
2005046020.tif 000006